【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
空気を取り入れる吸込口を備えた筐体と、
前記筐体内に高圧空気を発生するための羽根車と前記羽根車を駆動するモータと、
前記筐体の一面から起立する複数のノズルと、
を備え、
前記ノズルの側部には、前記ノズルを起立させた方向に対して交差する方向に前記羽根車によって発生した前記高圧空気を吹き出す吹出口を備え、
前記ノズルの内部には、前記高圧空気を前記吹出口に導くためのダクトを備え、
前記ノズルの起立する方向に対して直交する方向の前記ノズルの断面は、前記高圧空気が吹き出される方向に長い形状をしており、
複数の前記ノズルは、間隙を設けて備えられ、
前記吹出口から吹き出される前記高圧空気は、前記吹出口の上部から順番に、水平方向より上方と、水平方向と、水平方向より下方とに向けて吹き出すことを特徴とする送風装置。
【請求項２】
前記ノズルは、前記ノズルの起立方向において前記吹出口を上端側と下端側とに仕切る分流板を備え、
上端側の前記吹出口は、前記高圧空気を水平方向より上方に向けて吹き出すことを特徴とする請求項１に記載の送風装置。
【請求項３】
前記筐体に設けられた前記吸込口を前記高圧空気の吹出方向と異なる側に備えたことを特徴とする請求項１または２に記載の送風装置。
【請求項４】
前記吸込口に空気浄化フィルタを備えたことを特徴とする請求項１から３のいずれか１項に記載の送風装置。
【請求項５】
車道に面した建築物に用いられ、前記ノズルの前記吹出口が前記車道側に配置されたことを特徴とする請求項１から４のいずれか１項に記載の送風装置。
【手続補正２】
【補正対象書類名】明細書
【補正対象項目名】発明の名称
【補正方法】変更
【補正の内容】
【発明の名称】送風装置
【手続補正３】
【補正対象書類名】明細書
【補正対象項目名】００１１
【補正方法】変更
【補正の内容】
【００１１】
そこで本発明は、上記従来の課題を解決するものであり、気流を水平方向より上方と、水平方向と、水平方向より下方とに向けて吹き出すことで、直接気流を浴びることによる涼感に加え、上方に吹き出した気流により天井近傍の温度の高い空気を除去し、上方からの輻射熱を低減することで快適性の向上を実現できる送風装置を提供することを目的とする。
【手続補正４】
【補正対象書類名】明細書
【補正対象項目名】００１２
【補正方法】変更
【補正の内容】
【００１２】
そして、この目的を達成するために、本発明は、空気を取り入れる吸込口を備えた筐体と、筐体内に高圧空気を発生するための羽根車と羽根車を駆動するモータと、筐体の一面から起立する複数のノズルと、を備え、ノズルの側部には、ノズルを起立させた方向に対して交差する方向に羽根車によって発生した高圧空気を吹き出す吹出口を備え、ノズルの内部には、高圧空気を吹出口に導くためのダクトを備え、ノズルの起立する方向に対して直交する方向のノズルの断面は、高圧空気が吹き出される方向に長い形状をしており、複数のノズルは、間隙を設けて備えられ、吹出口から吹き出される高圧空気は、吹出口の上部から順番に、水平方向より上方と、水平方向と、水平方向より下方とに向けて吹き出すことを特徴とする送風装置としたものであり、これにより所期の目的を達成するものである。
【手続補正５】
【補正対象書類名】明細書
【補正対象項目名】００１３
【補正方法】変更
【補正の内容】
【００１３】
本発明に係る送風装置によれば、直接気流を浴びることによる涼感に加え、上方に吹出した気流により天井近傍の温度の高い空気を除去し、上方からの輻射熱を低減することで快適性の向上を実現できる。
【手続補正６】
【補正対象書類名】明細書
【補正対象項目名】００１５
【補正方法】変更
【補正の内容】
【００１５】
本発明に係る送風装置は、空気を取り入れる吸込口を備えた筐体と、筐体内に高圧空気を発生するための羽根車と羽根車を駆動するモータと、筐体の一面から起立する複数のノズルと、を備え、ノズルの側部には、ノズルを起立させた方向に対して交差する方向に羽根車によって発生した高圧空気を吹き出す吹出口を備え、ノズルの内部には、高圧空気を吹出口に導くためのダクトを備え、ノズルの起立する方向に対して直交する方向のノズル
の断面は、高圧空気が吹き出される方向に長い形状をしており、複数のノズルは、間隙を設けて備えられ、吹出口から吹き出される高圧空気は、吹出口の上部から順番に、水平方向より上方と、水平方向と、水平方向より下方とに向けて吹き出すことを特徴とするものである。
【手続補正７】
【補正対象書類名】明細書
【補正対象項目名】００１９
【補正方法】変更
【補正の内容】
【００１９】
また、本発明に係る送風装置では、ノズルは、ノズルの起立方向において吹出口を上端側と下端側とに仕切る分流板を備え、上端側の吹出口は、高圧空気を水平方向より上方に吹き出すことを特徴とするもので、上方に吹き出した気流により天井近傍の温度の高い空気を除去し、上方からの輻射熱を低減することで快適性の向上を実現できる。
【手続補正８】
【補正対象書類名】明細書
【補正対象項目名】００２０
【補正方法】変更
【補正の内容】
【００２０】
また、本発明に係る送風装置では、筐体に設けられた吸込口を高圧空気の吹出方向と異なる側に備えたことを特徴とするもので、吹出口から吹き出された高圧空気が吸込口に吸い込まれるのを抑制することができ、効率よく送風装置を稼動することができる。
【手続補正９】
【補正対象書類名】明細書
【補正対象項目名】００２１
【補正方法】変更
【補正の内容】
【００２１】
また、本発明に係る送風装置は、筐体に設けられた吸込口に空気浄化フィルタを備えたことを特徴とするもので、吸込口から取り込まれた空気は空気浄化フィルタにより浄化され吹出口から吹き出されるため、使用者に浄化された空気を提供することができる。
【手続補正１０】
【補正対象書類名】明細書
【補正対象項目名】００２２
【補正方法】変更
【補正の内容】
【００２２】
また、本発明に係る送風装置は、車道に面した建築物に用いられ、ノズルの吹出口が車道側に配置されたことを特徴とするもので、直接気流を浴びることによる涼感に加え、上方に吹出した気流により建築物の天井近傍の温度の高い空気を除去し、上方からの輻射熱を低減することで快適性の向上を実現できる。また、車道側に気流が流れるため、車道からの排気ガスなどの汚れた空気を建築物に侵入するのを抑制することができ、建築物の内部を清浄に保つことができる。
【手続補正１１】
【補正対象書類名】明細書
【補正対象項目名】００２９
【補正方法】変更
【補正の内容】
【００２９】
ノズル１３は、図１に示すように、垂直方向の断面が吹出方向に縦長である。複数のノズル１３は、それぞれの吹出口１９が同一面となるように間隙を設けて備えられ、この間隙によって、吹出口１９から吹出す気流に誘引される空気の誘引風路２２が形成されている。つまり、本実施の形態の例ではノズル１３を６本設けているので、ノズル１３に挟まれた空隙にそれぞれ誘引風路２２がノズル１３の数より少ない５本形成できる。ここで、複数のノズル１３とは３本以上のことを示す。また、高圧空気とは大気圧以上の空気を示すものとする。
【手続補正１２】
【補正対象書類名】明細書
【補正対象項目名】００４２
【補正方法】変更
【補正の内容】
【００４２】
本発明に係る送風装置は、直接気流を浴びることによる涼感に加え、上方に吹き出した気流により天井近傍の温度の高い空気を除去し、上方からの輻射熱を低減することで快適性の向上を実現できるため、居室内に設置され、直接気流による体感温度の減少や室内の空気の循環に使用される各種送風機器等として有用である。